(57)【特許請求の範囲】
【請求項１】
外枠に対して片開き可能に支持される前面枠を前記外枠に対して施錠すると共に、前記前面枠に対して片開き可能に支持されるガラス枠を前記前面枠に対して施錠するパチンコ機の施錠装置において、
上端部及び下端部にそれぞれ前後方向へ貫通した外枠上係止孔部及び外枠下係止孔部を有し、上下方向へスライド可能に前記外枠の側壁内面に設けられる外枠スライド部材と、
上端部及び下端部にそれぞれ後方へ延びるガラス枠上鉤部及びガラス枠下鉤部を有し、上下方向へスライド可能に前記ガラス枠の側部後面に設けられるガラス枠スライド部材と、
前記外枠スライド部材及び前記ガラス枠スライド部材をそれぞれ上下方向へスライド駆動する外枠用駆動レバー及びガラス枠用駆動レバー部を有し、前記ガラス枠の下端部付近に位置する前記前面枠の側部下部に設けられる錠ユニットと、
前記外枠上係止孔部及び前記外枠下係止孔部とそれぞれ係合可能に前記前面枠の側部上部後面及び側部下部後面に固定される前面枠上鉤部材及び前面枠下鉤部材と、
前記ガラス枠上鉤部及び前記ガラス枠下鉤部とそれぞれ係合可能に前記前面枠の側部上部及び側部下部に前後方向へ貫通して設けられる前面枠上係止孔部及び前面枠下係止孔部と、を備え、
前記外枠上係止孔部及び前記外枠下係止孔部にそれぞれ前記前面枠上鉤部材及び前記前面枠下鉤部材が係止されることにより前記前面枠が前記外枠に施錠され、前記前面枠上係止孔部及び前記前面枠下係止孔部にそれぞれ前記ガラス枠上鉤部及び前記ガラス枠下鉤部が係止されることにより前記ガラス枠が前記前面枠に施錠される
ことを特徴とするパチンコ機の施錠装置。
【請求項２】
前記ガラス枠スライド部材は、前記ガラス枠の側部後面に固定される縦長の金属製ベース部材に組み付けられることを特徴とする請求項１に記載のパチンコ機の施錠装置。
【請求項３】
前記外枠スライド部材、前記ガラス枠スライド部材、前記錠ユニット、前記前面枠上鉤部材、前記前面枠下鉤部材、前記前面枠上係止孔部及び前記前面枠下係止孔部を後方から覆う補強壁部が前記外枠の前記側壁に設けられていることを特徴とする請求項１に記載のパチンコ機の施錠装置。
【請求項４】
前記外枠スライド部材は、前記外枠の前記側壁の後部位置に設けられていることを特徴とする請求項１に記載のパチンコ機の施錠装置。
【請求項５】
施錠時、前記ガラス枠の側壁の内側に進入し、前記ガラス枠と前記外枠との間に形成される隙間を塞ぐシャッター部が、前記外枠の前記側壁の前端に設けられていることを特徴とする請求項１に記載のパチンコ遊技機の施錠装置。
【発明の詳細な説明】
【技術分野】
【０００１】
本発明は、パチンコ機の施錠装置、詳しくは、外枠に対して片開き可能に支持される前面枠を外枠に対して施錠すると共に、前面枠に対して片開き可能に支持されるガラス枠を前面枠に対して施錠するパチンコ機の施錠装置に関する。
【背景技術】
【０００２】
従来、パチンコ機の施錠装置として、例えば特許文献１に記載の施錠装置が知られている。この文献記載の施錠装置は、表枠（前面枠）及び金枠（ガラス枠）を施錠する施錠ユニットを表枠（前面枠）に設けている。
【特許文献１】特許第２８８０４６２号公報
【発明の開示】
【発明が解決しようとする課題】
【０００３】
しかし、上記従来の施錠ユニットは、前面枠の側部に縦長のスライド可能な部材を設けているため、前面枠に組み付けられる遊技盤の有効使用領域が制限を受け、遊技盤の有効使用領域の拡大が困難であるという問題がある。
【０００４】
本発明は、上記のような従来技術の問題点を解決し、遊技盤の有効使用領域の拡大を図ることを主な目的とするパチンコ機の施錠装置を提供することにある。
【課題を解決するための手段】
【０００５】
本発明によるパチンコ機の施錠装置は、外枠に対して片開き可能に支持される前面枠を前記外枠に対して施錠すると共に、前記前面枠に対して片開き可能に支持されるガラス枠を前記前面枠に対して施錠するパチンコ機の施錠装置において、上端部及び下端部にそれぞれ前後方向へ貫通した外枠上係止孔部及び外枠下係止孔部を有し、上下方向へスライド可能に前記外枠の側壁内面に設けられる外枠スライド部材と、上端部及び下端部にそれぞれ後方へ延びるガラス枠上鉤部及びガラス枠下鉤部を有し、上下方向へスライド可能に前記ガラス枠の側部後面に設けられるガラス枠スライド部材と、前記外枠スライド部材及び前記ガラス枠スライド部材をそれぞれ上下方向へスライド駆動する外枠用駆動レバー部及びガラス枠用駆動レバー部を有し、前記ガラス枠の下端部付近に位置する前記前面枠の側部下部に設けられる錠ユニットと、前記外枠上係止孔部及び前記外枠下係止孔部とそれぞれ係合可能に前記前面枠の側部上部後面及び側部下部後面に固定される前面枠上鉤部材及び前面枠下鉤部材と、前記ガラス枠上鉤部及び前記ガラス枠下鉤部とそれぞれ係合可能に前記前面枠の側部上部及び側部下部に前後方向へ貫通して設けられる前面枠上係止孔部及び前面枠下係止孔部と、を備え、前記外枠上係止孔部及び前記外枠下係止孔部にそれぞれ前記前面枠上鉤部材及び前記前面枠下鉤部材が係止されることにより前記前面枠が前記外枠に施錠され、前記前面枠上係止孔部及び前記前面枠下係止孔部にそれぞれ前記ガラス枠上鉤部及び前記ガラス枠下鉤部が係止されることにより前記ガラス枠が前記前面枠に施錠されることを特徴とする。
【０００６】
本発明によると、前面枠の側部上部後面に前面枠上鉤部材を設けると共に前面枠のガラス枠の下端部付近に位置する側部下部に錠ユニットを設けるようにしたため、前面枠上鉤部材と錠ユニットとの間のスペースを遊技盤の有効使用領域として利用できるようになり、遊技盤の有効使用領域の拡大を図ることができる。
【０００７】
ここで、前記ガラス枠スライド部材を、前記ガラス枠の側部後面に固定される縦長の金属製ベース部材に組み付けるようにすると、ガラス枠の強度がガラス枠スライド部材及び金属製ベース部材によって増大する。
【０００８】
また、前記外枠スライド部材、前記ガラス枠スライド部材、前記錠ユニット、前記前面枠上鉤部材、前記前面枠下鉤部材、前記前面枠上係止孔部及び前記前面枠下係止孔部を後方から覆う補強壁部を前記外枠の前記側壁に設けると、補強壁部によって外枠の側壁の強度が増大し外枠スライド部材の変形を防止できると共に、パチンコ機の後方から針金やセル等を用いて施錠装置を開錠する不正行為を防止できる。
【０００９】
また、前記外枠スライド部材を、前記外枠の前記側壁の後部位置に設けると、パチンコ機の前方から針金やセル等を用いて施錠装置を開錠する不正行為を防止できる。
【００１０】
また、施錠時、前記ガラス枠の側壁の内側に進入し、前記ガラス枠と前記外枠との間に形成される隙間を塞ぐシャッター部を、前記外枠の前記側壁の前端に設けると、ガラス枠と外枠との間に形成される隙間から針金やセル等を用いて施錠装置を開錠する不正行為を防止できる。
【発明を実施するための最良の形態】
【００１１】
以下、本発明の実施形態を図面に基づいて説明する。
【００１２】
図１は、本発明の一実施形態に係る施錠装置が組み込まれたパチンコ機を概略的に示した分解斜視図、図２は、施錠装置の全体構成図、図３は、外枠の側壁に対する外枠スライド部材の組付図、図４は、ベース部材に対するガラス枠スライド部材の組付図、図５は、前面枠の側壁に対する錠ユニットの組付図、前面枠上鉤部材及び前面枠下鉤部材の組付図、図６は、錠ユニットの構成図、図７は、錠ユニットのベース板の構成図、図８は、錠ユニットの外枠用駆動板の構成図、図９は、錠ユニットのガラス枠用駆動板の構成図、図１０は、錠ユニットの回転板の構成図をそれぞれ示す。
【００１３】
図１〜図１０において、パチンコ機は、外枠１と、前後方向へ片開き可能にヒンジ２を介して外枠１に支持される前面枠３と、前後方向へ片開き可能にヒンジ２を介して前面枠３に支持されるガラス枠４とを備えて構成される。
【００１４】
(A)  外枠１
外枠１は、ヒンジ２とは左右方向反対側に金属製側壁５を有し、側壁５は、上板部６と下板部７にねじ止めされている。側壁５の内面５aには、施錠装置８の構成要素である金属製外枠スライド部材９が組み付けられる。
【００１５】
a.  外枠スライド部材９
外枠スライド部材９は、上部及び下部に上下方向の長孔部１０、１１、１２、１３を有する縦長の基板部１４を有し、上長孔１０、１１及び下長孔１２、１３に、外枠側壁内面５aに固着された上リベットピン１５、１６及び下リベットピン１７、１８がそれぞれ挿通されている。上長孔１０、１１及び下長孔１２、１３は、それぞれ上リベットピン１５、１６及び下リベットピン１７、１８によって外枠側壁内面５aに係止され、上下方向へ摺動可能とされる。
【００１６】
上長孔１１近くの基板部前縁１４aから内方へ垂直に外枠上係止孔部１９が延びている。外枠上係止孔部１９には、前面枠３の後述する前面枠上鉤部材２７が係止可能である。また、下長孔１２近くの基板部前縁１４aから内方へ垂直に外枠下係止孔部２０が延びている。外枠下係止孔部２０には、前面枠３に取り付けられた後述する前面枠下鉤部材２８が係止可能である。
【００１７】
外枠下係止孔部２０の上端面２０aには、前面枠３に取り付けられた後述する錠ユニット２６の外枠用駆動レバー部４６が配され、外枠下係止孔部２０の上端面２０aは、外枠用駆動レバー部４６から押下力を受ける押下力受部を構成する。
【００１８】
基板部１４の内面１４bには、引張スプリング２１の下端部２１aを固定するスプリング下固定爪２２が設けられ、スプリング下固定爪２２の上方にスプリング用長孔２３が形成されている。スプリング用長孔２３には、外枠側壁内面５aに設けられ、引張スプリング２１の上端部２１bを固定するスプリング上固定爪２４が挿通される。基板部１４は、スプリング用長孔２３内にスプリング上固定爪２４が収容された状態で上下方向へ移動可能である。
【００１９】
外枠スライド部材９は、外力が加えられていない通常時は、引張スプリング２１の引張力によって上端位置にある。外枠スライド部材９が上端位置にあるとき、上リベットピン１５、１６及び下リベットピン１７、１８は、上長孔１０、１１及び下長孔１２、１３の下端と圧接状態にあり、また、外枠上係止孔部１９の孔１９aの下端及び外枠下係止孔部２０の孔２０bの下端は、それぞれ、前面枠上鉤部材２７の鉤部５９の先端部６１の下端部６１a及び前面枠下鉤部材２８の鉤部６３の先端部６５の下端部６５aよりも高い位置に維持される。
【００２０】
外枠下係止孔部２０の上端面（押下力受部）２０aが錠ユニット２６の外枠用駆動レバー部４６から押下力を受けると、外枠スライド部材９は下方へ移動し下端位置となる。外枠スライド部材９が下端位置にあるとき、上リベットピン１５、１６及び下リベットピン１７、１８は、上長孔１０、１１及び下長孔１２、１３の下端と圧接状態にあり、また、外枠上係止孔部１９の孔１９aの下端及び外枠下係止孔部２０の孔２０bの下端は、それぞれ、前面枠上鉤部材２７の鉤部５９の先端部６１の下端部６１a及び前面枠下鉤部材２８の鉤部６３の先端部６５の下端部６５aよりも低い位置となる。
【００２１】
(B)  前面枠３
前面枠３の後面つまり裏面３aには、図示しない遊技盤が取り付けられる。
【００２２】
前面枠３の側部２５の下部には、錠ユニット２６が設けられ、前面枠３の側部２５の上部後面２５a及び下部後面２５bに、それぞれ、金属製前面枠上鉤部材２７及び金属製前面枠下鉤部材２８が固定される。
【００２３】
前面枠３の側部２５の上部であって前面枠上鉤部材２７の上方位置に前面枠上係止孔部２９が設けられると共に、前面枠３の側部２５の下部であって錠ユニット２６の上方位置に前面枠下係止孔部３０が設けられる。
【００２４】
a.  錠ユニット２６
錠ユニット２６は、断面略L字状の金属製ベース板３１と、ベース板３１の表面３１aに配される金属製外枠用駆動板３２と、外枠用駆動板３２の表面３２aに配される金属製ガラス枠用駆動板３３を備える。
【００２５】
b.  ベース板３１
ベース板３１は、前面枠３の側部下部後面２５bにねじ止めされる固着板部３４と、固着板部３４の自由端から垂直に延びた組付板部３５とを有する。
【００２６】
固着板部３４には、シリンダ錠３６が取り付けられる。シリンダ錠３６の先端部には、シリンダ錠３６に差し込まれたキー３７が時計方向及び反時計方向へ回動操作されたとき時計方向及び反時計方向へ回転する回転板３８が取り付けられる。回転板３８は、ベース板３１の組付板部３５に向かって斜め上方へ延びた押下爪部３９と斜め下方へ延びた押上爪部４０とを有する。
【００２７】
組付板部３５には、回転板３８の押下爪部３９及び押上爪部４０の各先端部３９a、４０aが進入可能な上下方向に長い逃し孔４１が形成されている。また、組付板部３５の表面つまり回転板３８側の面３５aには、外枠用駆動板３２及びガラス枠用駆動板３３をベース板３１に保持しながら上下方向へ摺動可能にする上リベットピン４２及び下リベットピン４３が固着される。
【００２８】
組付板部３５の後縁３５bには、固着板部３４と共同して外枠用駆動板３２及びガラス枠用駆動板３３の上下方向の移動を案内するガイド壁部４４が設けられている。
【００２９】
c.  外枠用駆動板３２
外枠用駆動板３２は、ベース板３１の組付板部３５の表面３５aに組み付けられる。
【００３０】
外枠用駆動板３２は、略長方形状の基板部４５と、基板部４５の下端部後縁から後方に延びた外枠用駆動レバー部４６とを有する。基板部４５は、上リベットピン４２が挿通される上長孔４７と、下リベットピン４３が挿通される下長孔４８と、回転板３８の押下爪部３９によって押下可能な下端面４９aを有する押下爪受孔部４９と、引張スプリング５０の下端部５０aを固定するスプリング下固定爪５１とを有する。外枠用駆動レバー部４６は、外枠スライド部材９の外枠下係止孔部２０の上端面２０aを押下可能な下端面４６aを有する。なお、符号１０１は、押上爪部４０の先端部４０aの逃し孔である。
【００３１】
d.  ガラス枠用駆動板３３
ガラス枠用駆動板３３は、外枠用駆動板３２の表面３２aに組み付けられる。
【００３２】
ガラス枠用駆動板３３は、略長方形状の基板部５２と、基板部５２の上端部前縁から前方に延びたガラス枠用駆動レバー部５３とを有する。基板部５２は、上リベットピン４２が挿通される上長孔部５４と、下リベットピン４３が挿通される下長孔部５５と、回転板３８の押上爪部４０によって押上可能な上端面５６aを有する押上爪受孔部５６と、引張スプリング５０の上端部５０bを固定するスプリング上固定爪５７とを有する。ガラス枠用駆動レバー部５３は、後述するガラス枠スライド部材７１の押上力受部８４を押上可能な上端面５３aを有する。なお、符号１０２は、押下爪部３９の先端部３９aの逃し孔である。
【００３３】
上記のように構成される錠ユニット２６は、シリンダ錠３６にキー３７が差し込まれて回動操作がされていない通常時には、回転板３８の押下爪部３９の先端部３９a及び押上爪部４０の先端部４０aは外枠用駆動板３２の押下爪受孔部４９及びガラス枠用駆動板３３の押上爪受孔部５６と係合しておらず、引張スプリング５０の引張力により、上リベットピン４２及び下リベットピン４３にそれぞれ外枠用駆動板３２の上長孔４７の下端及び下長孔４８の下端が圧接状態にあると共に、上リベットピン４２及び下リベットピン４３にそれぞれガラス枠用駆動板３３の上長孔５４の上端及び下長孔５５の上端がそれぞれ圧接状態にあり、外枠用駆動板３２の外枠用駆動レバー部４６は上端位置に保持されると共に、ガラス枠用駆動板３３のガラス枠用駆動レバー部５３は下端位置に保持される。
【００３４】
シリンダ錠３６にキー３７が差し込まれて時計方向に回動操作されたときには、引張スプリング５０の引張力に抗して回転板３８の押下爪部３９が外枠用駆動板３２の押下爪受孔部４９の下端面４９aを押下げ、上長孔４７の下端及び下長孔４８の下端がそれぞれ上リベットピン４２及び下リベットピン４３から離れ、外枠用駆動レバー部４６が下方へ移動する。
【００３５】
シリンダ錠３６にキー３７が差し込まれて反時計方向に回動操作されたときには、引張スプリング５０の引張力に抗して回転板３８の押上爪部３９がガラス枠用駆動板３３の押上爪受孔部５６の上端面５６aを押上げ、上長孔５４の上端及び下長孔５５の上端がそれぞれ上リベットピン４２及び下リベットピン４３から離れ、ガラス枠用駆動レバー部５３が上方へ移動する。
【００３６】
e.  前面枠上鉤部材２７
前面枠上鉤部材２７は、前面枠３の側部上部後面２５aに固定される。
【００３７】
前面枠上鉤部材２７は、前面枠３の側部上部後面２５aに沿ってねじ止めされる板状の基板部５８と、基板部５８から後方へ延びる鉤部５９とを有する。
【００３８】
鉤部５９は、垂直状態で後方へ水平に延びた水平アーム部６０と、水平アーム部６０の先端から下方へ延びた先端部６１とを有する。先端部６１は、水平アーム部６０の下面よりも低い下端部６１aと、下端部６１aから後方へ斜め上向きに延びた傾斜面６１bとを有する。下端部６１aの下端は、外枠スライド部材９の外枠上係止孔部１９の孔１９aの下端よりも低い位置にあり、また、傾斜面６１bの上端は、孔１９aの下端よりも高い位置にある。
【００３９】
f.  前面枠下鉤部材２８
前面枠下鉤部材２８は、前面枠３の側部下部後面２５bに固定される。
【００４０】
前面枠下鉤部材２８は、上述した前面枠上鉤部材２７と同様に構成され、基板部６２と鉤部６３とを有し、鉤部６３は、水平アーム部６４と先端部６５とを有する。先端部６５は、水平アーム部６４の下面よりも低い下端部６５aと、下端部６５aから後方へ斜め上向きに延びた傾斜面６５bとを有する。下端部６５aの下端は、外枠スライド部材９の外枠下係止孔部２０の孔２０bの下端よりも低い位置にあり、また、傾斜面６５bの上端は、孔２０bの下端よりも高い位置にある。
【００４１】
g.  前面枠上係止孔部２９
前面枠上係止孔部２９は、前面枠３の側部２５に前後方向に穿設された貫通孔６６と、貫通孔６６の下端部を覆うように側部上部後面２５aにねじ止めされる金属板６７とで構成される。
【００４２】
前面枠上係止孔部２９には、後述するガラス枠スライド部材７１のガラス枠上鉤部８２が進入可能である。
【００４３】
h.  前面枠下係止孔部３０
前面枠下係止孔部３０は、前面枠３の側部２５に前後方向に穿設された貫通孔６８と、貫通孔６８の下端部を覆うように側部下部後面２５bにねじ止めされる金属板６９とで構成される。
【００４４】
前面枠下係止孔部３０には、ガラス枠スライド部材７１の後述するガラス枠下鉤部８３が進入可能である。
【００４５】
(C)  ガラス枠４
ガラス枠４の後面（裏面）４aには、透明ガラス（樹脂を含む。）が装着される。
【００４６】
ガラス枠４の側部後面４bには、断面略L字状の縦長の金属製ベース部材７０がねじ止めされ、ベース部材７０に縦長の金属製ガラス枠スライド部材７１が上下方向へ摺動可能に組み付けられる。
【００４７】
a.  ベース部材７０
ベース部材７０は、ガラス枠４の側部後面４bにねじ止めされる固着板部７２と、固着板部７２の自由端から後方へ垂直に延びたガイド板部７３とを有する。
【００４８】
固着板部７２の表面７２aには、上下方向に所定間隔を置いて複数のガイド突起部７４が設けられている。これらのガイド突起部７４は、各ガイド突起部７４からガイド板部７３の内面７３aまでの距離がガラス枠ガイド部材７１の板厚よりも僅かに大きくなる位置に設けられている。
【００４９】
ガイド板部７３の内面７３aの上端部及び下端部には、それぞれ上リベットピン７５及び下リベットピン７６が固着される。上リベットピン７５及び下リベットピン７６は、それぞれガラス枠スライド部材７１の後述する上長孔８５及び下長孔８６に挿通される。
【００５０】
ガイド板部７３の内面７３aの下部には、引張スプリング７７の下端部７７aを固定するスプリング下固定爪７８が設けられている。
【００５１】
ガイド板部７３の後縁の上端部及び下端部には、それぞれ固着板部７２と平行な上ガイド溝部７９及び下ガイド溝部８０が設けられている。上ガイド溝部７９及び下ガイド溝部８０は、それぞれ上方が開放した縦長のガイド溝７９a、８０aを有し、各ガイド溝７９a、８０aの幅は、ガラス枠スライド部材７１の板厚よりも僅かに大きく設定されている。
【００５２】
b.  ガラス枠スライド部材７１
ガラス枠スライド部材７１は、ベース部材７０のガイド板部７３の内面７３aに組み付けられる。
【００５３】
ガラス枠スライド部材７１は、長帯状の基板部８１と、基板部８１の上端部後縁及び下端部後縁から後方に延びたガラス枠上鉤部８２及びガラス枠下鉤部８３と、基板部８１の下端から内方に延びた押上力受部８４とを有する。
【００５４】
基板部８１の上端部及び下端部には、それぞれ上下方向の上長孔８５及び下長孔８６が形成され、上長孔８５及び下長孔８６にそれぞれ上リベットピン７５及び下リベットピン７６が挿通される。上長孔８５及び下長孔８６は、それぞれ上リベットピン７５及び下リベットピン７６によってベース部材７０のガイド板部７３の内面７３aに係止され、上下方向へ摺動可能とされる。
【００５５】
基板部８１の下部には、上下方向のスプリング用長孔８７が形成され、スプリング用長孔８７にベース部材７０のスプリング下固定爪７８が収容される。スプリング用長孔８７の上方にはスプリング上固定爪８８が形成され、スプリング上固定爪８８に引張スプリング７７の上端部７７bが固定される。
【００５６】
ガラス枠上鉤部８２は、水平アーム部８９と先端部９０とを有する。水平アーム部８９の根元は、上ガイド溝部７９のガイド溝７９aに収容される。先端部９０は、下端部９０aと傾斜面９０bとを有する。下端部９０aの下端は、前面枠３の前面枠上係止孔部２９の孔２９aの下端よりも低い位置にあり、また、傾斜面９０bの上端は、孔２９aの下端よりも高い位置にある。
【００５７】
ガラス枠下鉤部８３は、水平アーム部９１と先端部９２とを有する。水平アーム部９１の根元は、下ガイド溝部８０のガイド溝８０aに収容される。先端部９２は、下端部９２aと傾斜面９２bとを有する。下端部９２aの下端は、前面枠３の前面枠下係止孔部３０の孔３０aの下端よりも低い位置にあり、また、傾斜面９２bの上端は、孔３０aの下端よりも高い位置にある。
【００５８】
押上力受部８４は、錠ユニット２６のガラス枠用駆動板３３のガラス枠用駆動レバー部５３の上方に位置する。
【００５９】
ガラス枠スライド部材７１は、外力が加えられていない通常時には、下端位置にあり、引張スプリング７７により下方へ引っ張られ、上長孔部８５の上端及び下長孔部８６の上端は、それぞれ上リベットピン７５及び下リベットピン７６と圧接状態である。
【００６０】
ガラス枠スライド部材７１の押上力受部８４が錠ユニット２６のガラス枠用駆動レバー部５３から押上力を受けると、ガラス枠スライド部材７１は上方へ移動し、上長孔部８５の下端及び下長孔部８６の下端がそれぞれ上リベットピン７５及び下リベットピン７６と当接したとき上方への移動が規制され、ガラス枠スライド部材７１は上端位置になる。
【００６１】
ガラス枠スライド部材７１が上端位置にあるとき、ガラス枠上鉤部８２の先端部９０の下端部９０aは、前面枠上係止孔部２９の孔２９aの下端よりも高い位置となり、また、ガラス枠下鉤部８３の先端部９２の下端部９２aは、前面枠下係止孔部３０の孔３０aの下端よりも高い位置となる。
【００６２】
次に、上記のように構成された施錠装置８の動作を説明する。
【００６３】
(A)  パチンコ機が施錠されているとき
錠ユニット２６においては、外部からキー３７が操作されていないため、引張スプリング５０の引張力によって、外枠用駆動レバー部４６は上端位置に、ガラス枠用駆動レバー部５３は下端位置にそれぞれ位置し、外枠スライド部材９及びガラス枠スライド部材７１に対して錠ユニット２６からの外力は加えられていない。
【００６４】
また、外枠スライド部材９は、引張スプリング２１によって上方へ引っ張られて上端位置にある。前面枠上鉤部材２７の鉤部５９の先端部６１は、上端位置にある外枠スライド部材９の外枠上係止孔部１９の孔１９aに進入した状態にあり、先端部６１の下端部６１aは孔１９aの下端よりも下に位置しており、したがって、前面枠上鉤部材２７は外枠上係止孔部１９と係合状態にある。また、前面枠下鉤部材２８の鉤部６３の先端部６５は、上端位置にある外枠スライド部材９の外枠下係止孔部２０の孔２０bに進入した状態にあり、先端部６５の下端部６５aは孔２０bの下端よりも下に位置しており、したがって、前面枠下鉤部材２８は外枠下係止孔部２０と係合状態にある。
【００６５】
したがって、前面枠３は外枠１に施錠された状態に保たれる。
【００６６】
また、ガラス枠スライド部材７１は、引張スプリング７７によって下方へ引っ張られて下端位置にある。ガラス枠上鉤部８２の先端部９０は、前面枠上係止孔部２９の孔２９aに進入した状態にあり、先端部９０の下端部９０aは孔２９aの下端よりも下に位置しており、このため、ガラス枠上鉤部８２は前面枠上係止孔部２９と係合状態にある。また、ガラス枠下鉤部８３の先端部９２は、前面枠下係止孔部３０の孔３０aに進入した状態にあり、先端部９２の下端部９２aは孔３０aの下端よりも下に位置しており、このため、ガラス枠下鉤部８３は前面枠下係止孔部３０と係合状態にある。
【００６７】
したがって、ガラス枠４は前面枠３に施錠された状態に保たれる。
【００６８】
(B)  シリンダ錠３６にキー３７を差込み時計方向へ回動操作したとき
キー３７の回動操作により回転板３８の押下爪部３９の先端部３９aは、引張スプリング５０の引張力に抗して外枠用駆動板３２の押下爪受孔部４９の下端面４０aを押下げ、外枠用駆動板３２は下方へ押下げられる。このため、外枠用駆動レバー部４６は、外枠スライド部材９の引張スプリング２１の引張力に抗して外枠下係止孔部２０の上端面２０aを押下げ、外枠スライド部材９は下方へ移動する。この外枠スライド部材９の移動により、外枠上係止孔部１９の孔１９aの下端及び外枠下係止孔部２０の孔２０bの下端は、それぞれ、前面枠上鉤部材２７の鉤部５９の先端部６１の下端部６１a及び前面枠下鉤部材２８の鉤部６３の先端部６５の下端部６５aよりも下方に位置するようになり、前面枠上鉤部材２７と外枠上係止孔部１９との係合状態及び前面枠下鉤部材２８と外枠下係止孔部２０との係合状態をそれぞれ解除することができ、前面枠３を外枠１から開錠することができる。
【００６９】
(C)  シリンダ錠３６にキー３７を差込み反時計方向へ回動操作したとき
キー３７の回動操作により回転板３８の押上爪部４０の先端部４０aは、引張スプリング５０の引張力に抗してガラス枠用駆動板３３の押上爪受孔部５６を押上げ、ガラス枠スライド部材７１は上方へ移動する。このガラス枠スライド部材７１の移動により、ガラス枠上鉤部８２の先端部９０の下端部９０a及びガラス枠下鉤部８３の先端部９２の下端部９２aは、それぞれ、前面枠上係止孔部２９の孔２９aの下端及び前面枠下係止孔部３０の孔３０aの下端よりも上方へ位置するようになり、ガラス枠上鉤部８２と前面枠上係止孔部２９との係合状態及びガラス枠下鉤部８３と前面枠下係止孔部３０との係合状態をそれぞれ解除することができ、図示しないばねの弾発力によってガラス枠４は前面枠３から自動的に開錠される。
【００７０】
(D)  開錠状態にある前面枠３を外枠１に対して押し付ける操作をしたとき
前面枠上鉤部材２７の鉤部５９の先端部６１の傾斜面６１b及び前面枠下鉤部材２８の鉤部６３の先端部６５の傾斜面６５bは、それぞれ、外枠スライド部材９の引張スプリング２１の引張力に抗して外枠上係止孔部１９の孔１９aの下端及び外枠下係止孔部２０の孔２０bの下端を押下げ、外枠スライド部材９は下方へ移動する。そして、各々の鉤部５９、６３の先端部６１、６５の下端部６１a、６５aが外枠上係止孔部１９の孔１９a及び外枠下係止孔部２０の孔２０bに進入し終わったとき、傾斜面６１b、６５bの押下力が消失し、外枠スライド部材９は引張スプリング２１の引張力によって上端位置まで瞬時に戻る。このため、前面枠上鉤部材２７と外枠上係止孔部１９とが係合状態になると共に、前面枠下鉤部材２８と外枠下係止孔部２０とが係合状態となり、前面枠３は外枠１に施錠される。
【００７１】
(E)  開錠状態にあるガラス枠４を前面枠３に対して押し付ける操作をしたとき
ガラス枠スライド部材７１のガラス枠上鉤部８２の先端部９０の傾斜面９０b及びガラス枠下鉤部８３の先端部９２の傾斜面９２bは、それぞれ、引張スプリング７７の引張力に抗して前面枠上係止孔部２９の金属板６７の上端面及び前面枠下係止孔部３０の金属板６９の上端面によって押上げられ、ガラス枠スライド部材７１は上方へ移動する。そして、各々の先端部９０、９２の下端部９０a、９２aが前面枠上係止孔部２９の孔２９a及び前面枠下係止孔部３０の孔３０aに進入し終わったとき、金属板６７、６９による押上力が消失し、ガラス枠スライド部材７１は引張スプリング７７の引張力によって下端位置まで瞬時に戻る。このため、ガラス枠上鉤部８２と前面枠上係止孔部２９とが係合状態になると共に、ガラス枠下鉤部８３と前面枠下係止孔部３０とが係合状態となり、ガラス枠４は前面枠３に施錠される。
【００７２】
以上説明したように、本実施形態に係る施錠装置８は、外枠１に対して片開き可能に支持される前面枠３を外枠１に対して施錠すると共に、前面枠３に対して片開き可能に支持されるガラス枠４を前面枠３に対して施錠する施錠装置８であって、上端部及び下端部にそれぞれ前後方向へ貫通した外枠上係止孔部１９及び外枠下係止孔部２０を有し、上下方向へスライド可能に外枠１の側壁内面５aに設けられる外枠スライド部材９と、上端部及び下端部にそれぞれ後方へ延びるガラス枠上鉤部８２及びガラス枠下鉤部８３を有し、上下方向へスライド可能にガラス枠４の側部後面４bに設けられるガラス枠スライド部材７１と、外枠スライド部材９及びガラス枠スライド部材７１をそれぞれ上下方向へスライド駆動する外枠用駆動レバー部４６及びガラス枠用駆動レバー部５３を有し、ガラス枠４の下端部付近に位置する前面枠３の側部２５下部に設けられる錠ユニット２６と、外枠上係止孔部１９及び外枠下係止孔部２０とそれぞれ係合可能に前面枠３の側部上部後面２５a及び側部下部後面２５bに固定される前面枠上鉤部材２７及び前面枠下鉤部材２８と、ガラス枠上鉤部８２及びガラス枠下鉤部８３とそれぞれ係合可能に前面枠３の側部２５上部及び側部２５下部に前後方向へ貫通して設けられる前面枠上係止孔部２９及び前面枠下係止孔部３０と、を備え、外枠上係止孔部１９及び外枠下係止孔部２０にそれぞれ前面枠上鉤部材２７及び前面枠下鉤部材２８が係止されることにより前面枠３が外枠１に施錠され、前面枠上係止孔部２９及び前面枠下係止孔部３０にそれぞれガラス枠上鉤部８２及びガラス枠下鉤部８３が係止されることによりガラス枠４が前面枠３に施錠される。
【００７３】
本実施形態によると、前面枠３の側部上部後面２５aに前面枠上鉤部材２７を設けると共に前面枠３のガラス枠４の下端部付近に位置する側部２５下部に錠ユニット２６を設けるようにしたため、前面枠上鉤部材２７と錠ユニット２６との間のスペースを遊技盤の有効使用領域として利用できるようになり、遊技盤の有効使用領域の拡大を図ることができる。
【００７４】
また、ガラス枠スライド部材７１を、ガラス枠４の側部後面４aに固定される縦長の金属製ベース部材７０に組み付けるようにすると、ガラス枠４の強度がガラス枠スライド部材７１及び金属製ベース部材７０によって増大する。
【００７５】
また、外枠スライド部材９は、外枠１の側壁５の後部位置に設けられているため、パチンコ機の前方から針金やセル等を用いて施錠装置８を開錠する不正行為を防止できる。
【００７６】
また、図１に二点鎖線、図２、３に実線で示すように、外枠スライド部材９、ガラス枠スライド部材７１、錠ユニット２６、前面枠上鉤部材２７、前面枠下鉤部材２８、前面枠上係止孔部２９及び前面枠下係止孔部３０を後方から覆う補強壁部９３を外枠１の側壁５に設けると、補強壁部９３によって外枠１の側壁５の強度が増大し外枠スライド部材９の変形を防止できると共に、パチンコ機の後方から針金やセル等を用いて施錠装置８を開錠する不正行為を防止できる。
【００７７】
また、図１に二点鎖線、図２、３に実線で示すように、施錠時、ガラス枠４の側壁４cの内側に進入し、ガラス枠４と１外枠との間に形成される隙間を塞ぐシャッター部９４を、外枠１の側壁５の前端に設けると、ガラス枠４と外枠１との間に形成される隙間から針金やセル等を用いて施錠装置８を開錠する不正行為を防止できる。
【図面の簡単な説明】
【００７８】
【図１】本発明の一実施形態に係る施錠装置が組み込まれたパチンコ機を概略的に示した分解斜視図である。
【図２】施錠装置の全体構成図である。
【図３】外枠の側壁に対する外枠スライド部材の組付図である。
【図４】ベース部材に対するガラス枠スライド部材の組付図である。
【図５】前面枠の側壁に対する錠ユニット、前面枠上鉤部材及び前面枠下鉤部材の組付図である。
【図６】錠ユニットの構成図である。
【図７】錠ユニットのベース板の構成図である。
【図８】錠ユニットの外枠用駆動板の構成図である。
【図９】錠ユニットのガラス枠用駆動板の構成図である。
【図１０】錠ユニットの回転板の構成図である。
【符号の説明】
【００７９】
１    外枠
３    前面枠
４    ガラス枠
４b    ガラス枠４の側部後面
５    外枠１の側壁
５a    側壁５の内面
８    施錠装置
９    外枠スライド部材
１９    外枠上係止孔部
２０    外枠下係止孔部
２５    前面枠３の側部
２５a    側部２５の上部後面
２６    錠ユニット
２７    前面枠上鉤部材
２８    前面枠下鉤部材
２９    前面枠上係止孔部
３０    前面枠下係止孔部
４６    外枠用駆動レバー部
５３    ガラス枠用駆動レバー部
７０    ベース部材
７１    ガラス枠スライド部材
８２    ガラス枠上鉤部
８３    ガラス枠下鉤部
９３    補強壁部
９４    シャッター部
【図１】
0004628948.tif 000002
【図２】
0004628948.tif 000003
【図３】
0004628948.tif 000004
【図４】
0004628948.tif 000005
【図５】
0004628948.tif 000006
【図６】
0004628948.tif 000007
【図７】
0004628948.tif 000008
【図８】
0004628948.tif 000009
【図９】
0004628948.tif 000010
【図１０】
0004628948.tif 000011